(57)【要約】      （修正有）【課題】安全カバーの破損を低減することにより、窓ガラスカバーに加わる圧力重積による爆発圧を低減できる構造の変換器を提供する。【解決手段】アンプ本体が収納されたアンプケース本体１に、安全カバー２を取り付けるように構成された変換器において、ガス抜き用の複数の貫通孔６が安全カバー２の主平面２１に円周上に設けられる。【選択図】図１
2016001125.tif 000002
【特許請求の範囲】
【請求項１】
アンプ本体が収納されたアンプケース本体に、安全カバーを取り付けるように構成された変換器において、
前記安全カバーには、ガス抜き用の複数の貫通孔が設けられたことを特徴とする変換器。
【請求項２】
前記ガス抜き用の貫通孔は、前記安全カバーの主平面に円周状に設けられていることを特徴とする請求項１記載の変換器。
【請求項３】
前記ガス抜き用の貫通孔は、前記安全カバーの主平面にメッシュ状に設けられていることを特徴とする請求項１記載の変換器。
【請求項４】
前記ガス抜き用の貫通孔の内径は、所定の試験ピンの外径よりもやや小さく形成されていることを特徴とする請求項１から請求項３のいずれかに記載の変換器。
【発明の詳細な説明】
【技術分野】
【０００１】
本発明は、変換器に関し、詳しくは、安全性の改善に関するものである。
【背景技術】
【０００２】
図４は、従来の変換器の一例を示す構成説明図である。図４において、アンプケース本体１は円筒状に形成されていて、このアンプケース本体１には図示しないアンプ本体が収納される。
【０００３】
アンプケース本体１に収納されるアンプ本体を構成する部品には、動作時に高電圧が印加されたり高温に上昇したりするものがある。アンプ本体がアンプケース本体１の内部で露出していると、たとえば変換器の動作状態で保守点検や調整作業などを行う場合に、作業者がアンプ本体に接触して感電したり火傷をしたりする恐れがあり、作業者は危険にさらされることになる。
【０００４】
そこで、アンプ本体が収納されたアンプケース本体１には、安全カバー２が取り付けられる。そして、安全カバー２に表示器３が取り付けられて、これら安全カバー２および表示器３を内包するようにしてアンプケース本体１の開口部に窓ガラスカバー４が取り付けられる。なお、安全カバー２の主平面２１には、アンプ本体と表示器３とを電気的に接続する配線を通すための窓５も設けられている。
【０００５】
特許文献１には、部品の共通化や拡張性向上を実現する変換器ケースの技術が記載されている。
【先行技術文献】
【特許文献】
【０００６】
【特許文献１】特開２０１３−１０８７９０号公報
【発明の開示】
【発明が解決しようとする課題】
【０００７】
しかし、図４に示す従来の構成によれば、耐圧防爆の爆発試験を行うと、窓ガラスカバーへ向かう爆発圧が安全カバー２に遮断され、爆発圧が安全カバー２に直接加わることになり、安全カバー２が破損してしまう。
【０００８】
さらに、安全カバー２の破損した部分から爆発圧が不規則に加わり、圧力重積により、窓ガラスカバー１に過大な爆発圧が加わってしまうこともある。なお、圧力重積とは、容器内のある分室で発生した爆発で与圧された別の分室内の混合ガスの圧力が、二次的に爆発することによってより高くなる現象をいう。
【０００９】
本発明は、このような課題を解決するもので、その目的は、安全カバー２の破損を低減することにより、窓ガラスカバー４に加わる圧力重積による爆発圧を低減できる構造の変換器を提供することにある。
【課題を解決するための手段】
【００１０】
このような課題を達成するために、本発明のうち請求項１記載の発明は、
アンプ本体が収納されたアンプケース本体に、安全カバーを取り付けるように構成された変換器において、
前記安全カバーには、ガス抜き用の複数の貫通孔が設けられたことを特徴とする。
【００１１】
請求項２記載の発明は、
請求項１記載の変換器において、
前記ガス抜き用の貫通孔は、前記安全カバーの主平面に円周状に設けられていることを特徴とする。
【００１２】
請求項３記載の発明は、
請求項１記載の変換器において、
前記ガス抜き用の貫通孔は、前記安全カバーの主平面にメッシュ状に設けられていることを特徴とする。
【００１３】
請求項４記載の発明は、
請求項１から請求項３のいずれかに記載の変換器において、
前記ガス抜き用の貫通孔の内径は、所定の試験ピンの外径よりもやや小さく形成されていることを特徴とする。
【発明の効果】
【００１４】
本発明によれば、アンプケース本体内部の爆発圧は、安全カバー２に設けられたガス抜き用の複数の貫通孔を通り抜けることになり、安全カバー２の破損を低減でき、窓ガラスカバー４に加わる圧力重積による爆発圧も低減できる変換器を実現できる。
【図面の簡単な説明】
【００１５】
【図１】本発明の一実施例の主要部を示す構成説明図である。
【図２】安全カバー２の主平面２１を示す平面図である。
【図３】本発明の他の実施例を示す構成説明図である。
【図４】従来の変換器の一例を示す構成説明図である。
【発明を実施するための最良の形態】
【００１６】
以下、本発明の実施の形態について、図面を用いて詳細に説明する。図１は本発明の一実施例の主要部を示す構成説明図、図２は安全カバー２の主平面２１を示す平面図であって、図４と共通する部分には同一の符号を付けている。図１および図２において、安全カバー２の主平面２１の表示器３が取り付けられない外周近傍には、円周状にガス抜き用の複数の貫通孔６が設けられている。
【００１７】
複数の貫通孔６の開口径の大きさは、一般安全上、試験ピンが入らないように試験ピンの外径よりもやや小さく（たとえばφ４未満）形成され、貫通孔６の数はガスの出入りが容易に行えるレベルで設けられている。
【００１８】
このような構成において、アンプケース本体１の内部で爆発すると、その爆発に伴う爆発圧は、安全カバー２の主平面２１に円周状に設けられている貫通孔６をガス抜き穴として通り抜ける。
【００１９】
これにより、爆発に伴う爆発圧が安全カバー２の主平面２１に直接加わることはなくなり、過大な爆発圧が安全カバー２に加わることもなくなる。
【００２０】
そして、安全カバー２が破損されることはなく、窓ガラスカバー１に加わる過大な爆発圧を大幅に低減できる。
【００２１】
図３は本発明の他の実施例を示す構成説明図であり、図２と共通する部分には同一の符号を付けている。図３において、安全カバー２の主平面２１には、ひし形の貫通孔７が規則的なメッシュ構造として設けられている。なお、破線３’は、表示器３の取付位置を示している。
【００２２】
図３の構造によれば、安全カバー２の主平面２１を一般安全上問題ない大きさのひし形の貫通孔７よりなるメッシュ構造にすることで、表示器３の取付位置の外側の貫通孔７からガスが抜けるため、図２の貫通孔６と同様の効果が得られる。
【００２３】
なお、安全カバー２の主平面２１のメッシュ構造はひし形の貫通孔７に限るものではなく、円形の貫通孔でも同様の効果が得られる。
【００２４】
さらに、安全カバー２の主平面２１の貫通孔６および貫通孔７の形状は、円形やひし形に限るものではなく、三角形や四角形や五角形などその他の多角形であってもよい。
【００２５】
以上説明したように、本発明によれば、安全カバーの破損を低減でき、窓ガラスカバーに加わる圧力重積による爆発圧も低減できる変換器を実現できる。
【符号の説明】
【００２６】
１  アンプケース本体１
２  安全カバー
２１  主平面
３  表示器
４  窓ガラスカバー
５  窓
６、７  貫通孔
【図１】
2016001125.tif 000003
【図２】
2016001125.tif 000004
【図３】
2016001125.tif 000005
【図４】
2016001125.tif 000006